(57)【要約】【課題】例えば、運動器具をスイングする動作に関する運動情報を使用者に提供できる、運動情報提供方法および運動情報提供システムを提供することができる。【解決手段】運動情報提供方法は、使用者が第１環境で運動を行ったときの検出装置からの出力に基づく第１運動情報と、前記第１環境に関する第１環境情報と、を取得し、前記第１運動情報と前記第１環境情報とを関連付けて第１関連情報として蓄積し、第２環境に前記第１関連情報を出力する。【選択図】図６
2016007499.tif 000002
【特許請求の範囲】
【請求項１】
使用者が第１環境で運動を行ったときの検出装置からの出力に基づく第１運動情報と、前記第１環境に関する第１環境情報と、を取得し、
前記第１運動情報と前記第１環境情報とを関連付けて第１関連情報として蓄積し、
第２環境に前記第１関連情報を出力する、運動情報提供方法。
【請求項２】
使用者が第１環境で運動を行ったときの検出装置からの出力に基づく第１運動情報と、前記第１環境に関する第１環境情報と、を取得し、
前記第１運動情報と前記第１環境情報とを関連付けて第１関連情報として蓄積し、
前記使用者が第２環境で運動を行ったときの前記検出装置からの出力に基づく第２運動情報と、前記第２環境に関する第２環境情報と、を取得し、
前記第２運動情報と前記第２環境情報とを関連付けて第２関連情報として蓄積し、
前記第１関連情報と前記第２関連情報とを出力する、運動情報提供方法。
【請求項３】
請求項２に記載の運動情報提供方法において、
前記第１関連情報に含まれる前記第１運動情報と、前記第２関連情報に含まれる前記第２運動情報を比較し、比較結果を出力する、運動情報提供方法。
【請求項４】
請求項１または２に記載の運動情報提供方法において、
前記第１環境情報は、前記運動を行ったときの位置情報、時刻情報、およびイベント情報の少なくとも一つを含む、運動情報提供方法。
【請求項５】
請求項２に記載の運動情報提供方法において、
前記第２環境情報は、前記運動を行ったときの位置情報、時刻情報、およびイベント情報の少なくとも一つを含む、運動情報提供方法。
【請求項６】
請求項１または２に記載の運動情報提供方法において、
前記第２環境は、前記第１環境とは異なる場所である、情報提供方法。
【請求項７】
請求項１に記載の運動情報提供方法において、
前記運動は運動器具を用いた運動であり、
前記第１運動情報に基づいて、前記運動器具の情報を前記第２環境に出力する、運動情報提供方法。
【請求項８】
請求項７に記載の運動情報提供方法において、
前記第２環境は、前記運動器具を販売するショップである、情報提供システム。
【請求項９】
請求項１または２に記載の運動情報提供方法において、
前記第１環境および前記第２環境の各々は、試合会場、練習場、大会、スクール、およびショップのいずれかである、情報提供方法。
【請求項１０】
使用者が第１環境で運動を行ったときの検出装置からの出力に基づく第１運動情報と、前記第１環境に関する第１環境情報と、を取得する取得部と、
前記第１運動情報と前記第１環境情報とを関連付けて第１関連情報として蓄積する蓄積部と、
第２環境に前記第１関連情報を出力する出力部と、
を含む、運動情報提供システム。
【請求項１１】
使用者が第１環境で運動したときの検出装置からの出力に基づく第１運動情報と、前記
第１環境の情報に関する第１環境情報と、
前記使用者が第２環境で運動したときの前記運動の情報に関する第２運動情報と、前記第２環境の情報に関する第２環境情報と、を取得する取得部と、
前記第１運動情報と前記第１環境情報とを関連付けて第１関連情報として蓄積し、
前記第２運動情報と前記第２環境情報とを関連付けて第２関連情報として蓄積する蓄積部と、
前記第１関連情報と前記第２関連情報とを出力する出力部と、
を含む、運動情報提供システム。
【請求項１２】
請求項１０または１１に記載の情報提供システムにおいて、
前記取得部を有する端末装置と、
前記蓄積部および前記出力部を有するサーバー装置と、
を含む、運動情報提供システム。
【発明の詳細な説明】
【技術分野】
【０００１】
本発明は、運動情報提供方法および運動情報提供システムに関する。
【背景技術】
【０００２】
ゴルフ、テニス、卓球、野球、ソフトボールなど、運動器具をスイングする動作を含む様々なスポーツがある。これらのスポーツの上達のためには、運動器具の理想的なスイングを身に付けることが、重要な要素の１つと考えられている。
【０００３】
特許文献１には、受講者のスイング画像について、各受講者がネットワーク経由でインストラクター等から適切なアドバイスや質問に対する回答を得ることができるスイングティーチングシステムが開示されている。
【先行技術文献】
【特許文献】
【０００４】
【特許文献１】特開２００３−１５５１９号公報
【発明の概要】
【発明が解決しようとする課題】
【０００５】
特許文献１のスイングティーチングシステムでは、スイング画像に基づいてアドバイスを作成するので、他のスイング画像（例えば、過去のスイング画像）との比較が容易ではなかった。
【０００６】
本発明は、以上のような技術的課題に鑑みてなされたものである。本発明のいくつかの態様によれば、例えば、運動器具をスイングする動作に関する運動情報を使用者に提供できる、運動情報提供方法および運動情報提供システムを提供することができる。
【課題を解決するための手段】
【０００７】
本発明は前述の課題の少なくとも一部を解決するためになされたものであり、以下の態様または適用例として実現することが可能である。
【０００８】
［適用例１］
本適用例に係る運動情報提供方法は、使用者が第１環境で運動を行ったときの検出装置からの出力に基づく第１運動情報と、前記第１環境に関する第１環境情報と、を取得し、前記第１運動情報と前記第１環境情報とを関連付けて第１関連情報として蓄積し、第２環境に前記第１関連情報を出力する、運動情報提供方法である。
【０００９】
検出装置は、例えば、加速度センサーや角速度センサーなどの慣性センサーを含んでいてもよい。
【００１０】
本適用例によれば、慣性センサー等の検出装置を用いて第１環境における第１運動情報を取得するので、運動の画像や映像に比べて、他の場面（第２環境）で取得した運動の情報と比較しやすい情報を取得できる。また、第２環境において第１運動情報と第１環境情報を関連付けた第１関連情報を出力するので、異なる場面（第２環境）においても、運動に関する情報を使用者に提供できる運動情報提供方法を実現できる。
【００１１】
［適用例２］
本適用例に係る運動情報提供方法は、使用者が第１環境で運動を行ったときの検出装置
からの出力に基づく第１運動情報と、前記第１環境に関する第１環境情報と、を取得し、前記第１運動情報と前記第１環境情報とを関連付けて第１関連情報として蓄積し、前記使用者が第２環境で運動を行ったときの前記検出装置からの出力に基づく第２運動情報と、前記第２環境に関する第２環境情報と、を取得し、前記第２運動情報と前記第２環境情報とを関連付けて第２関連情報として蓄積し、前記第１関連情報と前記第２関連情報とを出力する、運動情報提供方法である。
【００１２】
本適用例によれば、異なる場面で取得した第１運動情報と第２運動情報とを出力するので、異なる場面で取得した運動の情報同士を対比しやすい運動情報提供方法を実現できる。
【００１３】
［適用例３］
上述の運動情報提供方法において、前記第１関連情報に含まれる前記第１運動情報と、前記第２関連情報に含まれる前記第２運動情報を比較し、比較結果を出力してもよい。
【００１４】
本適用例によれば、第１運動情報と第２運動情報との比較結果を出力するので、他の場面で取得した運動の情報と新たな運動の情報とを対比しやすい運動情報提供方法を実現できる。
【００１５】
［適用例４］
上述の運動情報提供方法において、前記第１環境情報は、前記運動を行ったときの位置情報、時刻情報、およびイベント情報の少なくとも一つを含んでもよい。
【００１６】
［適用例５］
上述の運動情報提供方法において、前記第２環境情報は、前記運動を行ったときの位置情報、時刻情報、およびイベント情報の少なくとも一つを含んでもよい。
【００１７】
これらの適用例によれば、使用者が運動を行う環境に関する有用な情報を蓄積できる。
【００１８】
［適用例６］
上述の運動情報提供方法において、前記第２環境は、前記第１環境とは異なる場所であってもよい。
【００１９】
本適用例によれば、異なる場面においても運動に関する情報を使用者に提供できる運動情報提供方法、または、異なる場面で取得した運動の情報同士を対比しやすい運動情報提供方法を実現できる。
【００２０】
［適用例７］
上述の運動情報提供方法において、前記運動は運動器具を用いた運動であり、前記第１運動情報に基づいて、前記運動器具の情報を前記第２環境に出力してもよい。
【００２１】
［適用例８］
上述の運動情報提供方法において、前記第２環境は、前記運動器具を販売するショップであってもよい。
【００２２】
これらの適用例によれば、第１運動情報と運動器具の情報に基づいて、使用者が自分に適した運動器具を迅速に購入することができる。
【００２３】
［適用例９］
上述の運動情報提供方法において、前記第１環境および前記第２環境の各々は、試合会
場、練習場、大会、スクール、およびショップのいずれかであってもよい。
【００２４】
［適用例１０］
本適用例に係る運動情報提供システムは、使用者が第１環境で運動を行ったときの検出装置からの出力に基づく第１運動情報と、前記第１環境に関する第１環境情報と、を取得する取得部と、前記第１運動情報と前記第１環境情報とを関連付けて第１関連情報として蓄積する蓄積部と、第２環境に前記第１関連情報を出力する出力部と、を含む、運動情報提供システムである。
【００２５】
本適用例によれば、慣性センサー等の検出装置を用いて第１環境における第１運動情報を取得するので、運動の画像や映像に比べて、他の場面（第２環境）で取得した運動の情報と比較しやすい情報を取得できる。また、第２環境において第１運動情報と第１環境情報を関連付けた第１関連情報を出力するので、異なる場面（第２環境）においても、運動に関する情報を使用者に提供できる運動情報提供システムを実現できる。
【００２６】
［適用例１１］
本適用例に係る運動情報提供システムは、使用者が第１環境で運動したときの検出装置からの出力に基づく第１運動情報と、前記第１環境の情報に関する第１環境情報と、前記使用者が第２環境で運動したときの前記運動の情報に関する第２運動情報と、前記第２環境の情報に関する第２環境情報と、を取得する取得部と、前記第１運動情報と前記第１環境情報とを関連付けて第１関連情報として蓄積し、前記第２運動情報と前記第２環境情報とを関連付けて第２関連情報として蓄積する蓄積部と、前記第１関連情報と前記第２関連情報とを出力する出力部と、を含む、運動情報提供システムである。
【００２７】
本適用例によれば、異なる場面で取得した第１運動情報と第２運動情報とを出力するので、異なる場面で取得した運動の情報同士を対比しやすい運動情報提供システムを実現できる。
【００２８】
［適用例１２］
上述の情報提供システムにおいて、前記取得部を有する端末装置と、前記蓄積部および前記出力部を有するサーバー装置と、を含んでもよい。
【００２９】
本適用例によれば、蓄積部を有するサーバー装置で第１運動情報と環境情報とをまとめて管理でき、端末装置からのアクセスが容易な情報提供システムを実現できる。
【図面の簡単な説明】
【００３０】
【図１】本実施形態の運動情報提供システム１０００の概要について説明するための図である。
【図２】検出装置１の装着位置および向きの一例を示す図である。
【図３】第１実施形態に係る運動情報提供システム１０００の構成例を示すブロック図である。
【図４】第２実施形態に係る運動情報提供システム１０００ａの構成例を示すブロック図である。
【図５】第３実施形態に係る運動情報提供システム１０００ｂの構成例を示すブロック図である。
【図６】第１実施形態に係る情報提供方法の概要を示すフローチャートである。
【図７】第２実施形態に係る情報提供方法の概要を示すフローチャートである。
【図８】使用例の概要を示す表である。
【図９】第１運動情報および第２運動情報の表示例を示す図である。
【図１０】運動器具情報を抽出する場合の表示例を示す図である。
【発明を実施するための形態】
【００３１】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００３２】
以下では、ゴルフクラブ（運動器具の一例）をスイングする動作（運動の一例）を例に挙げて説明する。なお、運動器具は、ゴルフクラブに限らず、例えば、テニスラケット、卓球ラケット、野球のバット、ソフトボールのバット、ホッケーのスティック等の打球に用いられる器具であってもよい。
【００３３】
１．運動情報提供システム
１−１．スイング支援システムの概要
図１は、本実施形態の運動情報提供システム１０００の概要について説明するための図である。本実施形態の運動情報提供システム１０００は、検出装置１、端末装置２およびサーバー装置３を含んで構成されている。
【００３４】
検出装置１は、使用者２００１がゴルフクラブ２００２（運動器具の一例）をスイングする動作を検出する。
【００３５】
図２は、検出装置１の装着位置および向きの一例を示す図である。検出装置１は、３軸の各軸方向に生じる加速度と３軸の各軸回りに生じる角速度を計測可能な慣性センサーであり、ゴルフクラブ２００２に装着される。
【００３６】
本実施形態では、図２に示されるように、検出装置１は、３つの検出軸（ｘ軸、ｙ軸、ｚ軸）のうちの１軸、例えばｙ軸をシャフトの長軸方向に合わせて、ゴルフクラブ２００２のシャフトの一部に取り付けられる。望ましくは、検出装置１は、打球時の衝撃が伝わりにくく、スイング時に遠心力がかからないグリップ部に近い位置に取り付けられる。シャフトは、ゴルフクラブ２００２のヘッドを除いた柄の部分であり、グリップ部も含まれる。
【００３７】
使用者２００１は、あらかじめ決められた手順に従って、ゴルフボール２００３を打球するスイング動作を行う。
【００３８】
端末装置２は、検出装置１が検出したデータを用いて、使用者２００１によるゴルフクラブ２００２（運動器具）のスイングに関する情報を取得する。また、端末装置２は、サーバー装置３から出力された情報を出力する。なお、使用者２００１によるゴルフクラブ２００２（運動器具）のスイングに関する種々の演算の少なくとも一部を、端末装置２およびサーバー装置３のいずれかが行ってもよい。
【００３９】
サーバー装置３は、使用者２００１のスイングに関する情報である第１運動情報（後述）を格納する蓄積部３１０（後述）を含んで構成されている。
【００４０】
なお、端末装置２と検出装置１との間の通信は、無線通信でもよいし、有線通信でもよい。また、端末装置２とサーバー装置３との間の通信は、無線通信でもよいし、有線通信でもよい。
【００４１】
１−２．第１実施形態に係る運動情報提供システムの構成
図３は、第１実施形態に係る運動情報提供システム１０００の構成例を示すブロック図
である。
【００４２】
本実施形態に係る検出装置１は、検出部１１０、処理部１２０および通信部１３０を含んで構成されている。
【００４３】
検出部１１０は、例えば、慣性センサーを含んで構成されていてもよい。慣性センサーは、慣性を利用して物理量または物理現象など（加速度、傾斜角、衝撃、振動、回転など）を検出するセンサーである。慣性センサーとしては、例えば、加速度センサーや角速度センサーなどを採用することができる。本実施形態においては、検出部１１０は、加速度センサー１１１および角速度センサー１１２を含んで構成されている。
【００４４】
加速度センサー１１１は、互いに交差する（理想的には直交する）３軸方向の各々に生じる加速度を計測し、計測した３軸加速度の大きさおよび向きに応じたデジタル信号（加速度データ）を出力する。
【００４５】
角速度センサー１１２は、互いに交差する（理想的には直交する）３軸の各々の軸回りに生じる角速度を計測し、計測した３軸角速度の大きさおよび向きに応じたデジタル信号（角速度データ）を出力する。
【００４６】
処理部１２０は、加速度センサー１１１と角速度センサー１１２から、それぞれ加速度データと角速度データを受け取って時刻情報を付して不図示の記憶部に記憶し、記憶した計測データ（加速度データと角速度データ）に時刻情報を付して通信用のフォーマットに合わせたパケットデータを生成し、通信部１３０に出力する。
【００４７】
加速度センサー１１１および角速度センサー１１２は、それぞれ３軸が、検出装置１に対して定義される直交座標系（センサー座標系）の３軸（ｘ軸、ｙ軸、ｚ軸）と一致するように検出装置１に取り付けられるのが理想的だが、実際には取り付け角の誤差が生じる。そこで、処理部１２０は、取り付け角誤差に応じてあらかじめ算出された補正パラメーターを用いて、加速度データおよび角速度データをｘｙｚ座標系のデータに変換する処理を行う。
【００４８】
さらに、処理部１２０は、加速度センサー１１１および角速度センサー１１２の温度補正処理を行う。なお、加速度センサー１１１および角速度センサー１１２に温度補正の機能が組み込まれていてもよい。
【００４９】
なお、加速度センサー１１１と角速度センサー１１２は、アナログ信号を出力するものであってもよく、この場合は、処理部１２０が、加速度センサー１１１の出力信号と角速度センサー１１２の出力信号をそれぞれＡ／Ｄ変換して計測データ（加速度データと角速度データ）を生成し、これらを用いて通信用のパケットデータを生成すればよい。
【００５０】
通信部１３０は、処理部１２０から受け取ったパケットデータを、使用者２００１が運動器具（ゴルフクラブ２００２）をスイングするスイングに関する情報である第１運動情報または第２運動情報として、端末装置２に送信する処理や、端末装置２から制御コマンドを受信して処理部１２０に送る処理等を行う。処理部１２０は、制御コマンドに応じた各種処理を行う。
【００５１】
本実施形態に係る端末装置２は、処理部２００、通信部２１０、通信部２２０、操作部２３０、ＲＯＭ２４０、ＲＡＭ２５０、記憶媒体２６０、表示部２７０、音出力部２８０を含んで構成されており、例えば、スマートフォンなどの携帯機器やパーソナルコンピューター（ＰＣ）であってもよい。
【００５２】
通信部２１０は、検出装置１から送信されたパケットデータを受信し、処理部２００に送る処理や、処理部２００からの制御コマンドを検出装置１に送信する処理等を行う。
【００５３】
通信部２２０は、サーバー装置３から送信されたパケットデータを受信し、処理部２００に送る処理や、処理部２００からの制御コマンドをサーバー装置３に送信する処理等を行う。
【００５４】
操作部２３０は、使用者２００１からの操作データを取得し、処理部２００に送る処理を行う。操作部２３０は、例えば、タッチパネル型ディスプレイ、ボタン、キー、マイクなどであってもよい。
【００５５】
ＲＯＭ２４０は、処理部２００が各種の計算処理や制御処理を行うためのプログラムや、アプリケーション機能を実現するための各種プログラムやデータ等を記憶している。
【００５６】
ＲＡＭ２５０は、処理部２００の作業領域として用いられ、ＲＯＭ２４０から読み出されたプログラムやデータ、操作部２３０から入力されたデータ、処理部２００が各種プログラムに従って実行した演算結果等を一時的に記憶する記憶部である。
【００５７】
記憶媒体２６０は、処理部２００の処理により生成されたデータのうち、長期的な保存が必要なデータを記憶する不揮発性の記憶部である。また、記憶媒体２６０は、処理部２００が各種の計算処理や制御処理を行うためのプログラムや、アプリケーション機能を実現するための各種プログラムやデータ等を記憶していてもよい。
【００５８】
表示部２７０は、処理部２００の処理結果を文字、グラフ、表、アニメーション、その他の画像として表示するものである。表示部２７０は、例えば、ＣＲＴ、ＬＣＤ、タッチパネル型ディスプレイ、ＨＭＤ（ヘッドマウントディスプレイ）などであってもよい。なお、１つのタッチパネル型ディスプレイで操作部２３０と表示部２７０の機能を実現するようにしてもよい。
【００５９】
音出力部２８０は、処理部２００の処理結果を音声やブザー音等の音として出力するものである。音出力部２８０は、例えば、スピーカーやブザーなどであってもよい。
【００６０】
処理部２００は、ＲＯＭ２４０あるいは記憶媒体２６０に記憶されているプログラム、あるいはネットワークを介してサーバーから受信してＲＡＭ２５０や記憶媒体２６０に記憶したプログラムに従って、検出装置１およびサーバー装置３に制御コマンドを送信する処理や、検出装置１から通信部２１０を介して受信したデータに対する各種の計算処理や、サーバー装置３から通信部２２０を介して受信したデータに対する各種の計算処理や、その他の各種の制御処理を行う。
【００６１】
特に、本実施形態では、処理部２００は、当該プログラム（運動情報提供プログラム）を実行することにより、取得部１０、入力受付部２０、位置情報取得部３０、出力部４０および演算部５０として機能する。情報提供プログラムは、取得部１０、入力受付部２０、位置情報取得部３０、出力部４０および演算部５０の少なくともいずれかで行われる手順をコンピューターに実行させるプログラムとして実現されていてもよい。
【００６２】
取得部１０は、使用者２００１が運動器具（ゴルフクラブ２００２）をスイングする動作（以下では、単に「スイング」と記載する場合がある。）を検出する検出装置１から、使用者２００１のスイングに関する情報である第１運動情報を取得する。本実施形態においては、取得部１０は、通信部２１０を介して検出装置１から第１運動情報を取得する。
【００６３】
入力受付部２０は、操作部２３０から操作データの入力を受け付ける。入力受付部２０は、使用者２００１の要求に対応するコマンドや、環境情報（後述）などの各種情報の入力を受け付ける。
【００６４】
位置情報取得部３０は、端末装置２の位置に関する情報である位置情報を取得する。位置情報取得部３０は、測位衛星からの衛星信号に基づいて位置情報を取得してもよい。測位衛星は、例えば、ＧＰＳ（Global Positioning System）衛星であってもよい。このような構成によれば、位置情報取得部３０が測位衛星からの衛星信号に基づいて位置情報を取得するので、位置情報を精度よく取得できる。位置情報取得部３０が取得する位置情報は、環境情報（後述）の一例である。また、ゴルフ場においては、スイング時の位置情報に基づいて、打球の飛距離を推定してもよい。
【００６５】
出力部４０は、各種情報を表示部２７０や音出力部２８０に出力させる。出力部４０は、サーバー装置３から出力された第１運動情報を表示部２７０に出力させてもよい。出力部４０は、サーバー装置３から出力された第１運動情報を加工して表示部２７０に出力させてもよい。
【００６６】
本実施形態に係るサーバー装置３は、出力部３００、蓄積部３１０、記憶部３４０および抽出部３５０を含んで構成されている。
【００６７】
蓄積部３１０は、取得部１０で取得された第１運動情報と、第１運動情報が取得された場面（第１環境）に関する環境情報と、を関連付けて第１関連情報として蓄積する。蓄積部３１０は、複数の第１運動情報と、当該第１運動情報のそれぞれに関連付けられた環境情報とを記憶する。環境情報としては、例えば、ゴルフ場等の試合会場、練習場、スクール、ゴルフ用具を販売するショップ等の位置情報、時刻情報、大会や大会の練習ラウンド等のイベント情報などを採用してもよい。
【００６８】
出力部３００は、使用者２００１の要求に応じて、蓄積部３１０に蓄積された第１関連情報を第２環境に対して出力する。例えば、第１環境としては練習場、第２環境としてはショップがあげられる。図３に示される例では、出力部３００は、処理部３２０および通信部３３０を含んで構成されている。
【００６９】
処理部３２０は、蓄積部３１０から第１運動情報を不図示の記憶部に記憶し、記憶した第１運動情報から通信用のフォーマットに合わせたパケットデータを生成し、通信部３３０に出力する。処理部３２０は、端末装置２から使用者２００１の要求に関するコマンドを受け付け、受け付けたコマンドに基づいて蓄積部３１０に蓄積されている複数の第１運動情報のうち少なくとも一部を抽出してもよい。
【００７０】
通信部３３０は、処理部３２０から受け取ったパケットデータを、端末装置２に送信する処理や、端末装置２から制御コマンドを受信して処理部３２０に送る処理等を行う。処理部３２０は、制御コマンドに応じた各種処理を行う。
【００７１】
なお、本発明における「出力部」は、出力部３００に相当してもよいし、出力部３００および出力部４０を含む構成に相当してもよい。例えば、出力部３００が出力した第１運動情報は、出力部４０によって表示部２７０に出力されてもよい。
【００７２】
本実施形態に係る運動情報提供システム１０００によれば、慣性センサー等の検出装置１を用いて第１環境における第１運動情報を取得するので、運動の画像や映像に比べて、他の場面（第２環境）で取得した運動の情報と比較しやすい情報を取得できる。また、使
用者２００１の要求に応じて、蓄積部３１０に蓄積された第１運動情報と第１環境情報を関連付けた第１関連情報を出力するので、異なる場面（第２環境）においても、運動器具（ゴルフクラブ２００２）をスイングする動作に関する情報を使用者２００１に提供できる運動情報提供システム１０００を実現できる。
【００７３】
本実施形態に係る運動情報提供システム１０００において、取得部１０は、検出装置１から、使用者２００１による他の場面（第２環境）での新たなスイングに関する情報である第２運動情報および第２環境の環境情報を取得し、第２運動情報と第２環境の環境情報とを関連付けた第２関連情報をサーバー装置３で蓄積し、出力部４０は、使用者２００１の要求に応じて、蓄積部３１０に蓄積された第１運動情報を含む第１関連情報と、取得部１０で取得された第２運動情報を含む第２関連情報とを出力してもよい。例えば、第１環境としてのゴルフ場でスイングした第１運動情報とゴルフ場の場所情報を関連付けた第１関連情報と、第２環境としての練習場でスイングした第２運動情報と練習場の場所情報を関連付けた第２関連情報を取得し、サーバー装置３で情報を蓄積する。
【００７４】
本実施形態によれば、例えば、ゴルフ場でスイングした第１運動情報と練習場でスイングした第２運動情報とを出力するので、異なる場面で取得したスイングの情報同士を対比しやすい運動情報提供システム１０００を実現できる。
【００７５】
本実施形態に係る運動情報提供システム１０００において、取得部１０は、検出装置１から、使用者２００１による他の場面（第２環境）での新たなスイングに関する情報である第２運動情報と第２環境の情報に関する環境情報を取得し、出力部４０は、使用者２００１の要求に応じて、蓄積部３１０に蓄積された第１運動情報と第２運動情報とを比較し、比較結果を出力してもよい。例えば、出力部４０は、第１運動情報と第２運動情報の差分（例えば、ヘッドスピード最大値の差分，インパクト時におけるフェース面の角度の差分等）を出力してもよい。
【００７６】
本実施形態によれば、第１運動情報と第２運動情報との比較結果を出力するので、他の場面で取得したスイングの情報と新たなスイングの情報とを対比しやすい運動情報提供システム１０００を実現できる。例えば、第１環境としてのゴルフ場でスイングした第１運動情報とゴルフ場の環境情報と、第２環境としての練習場でスイングした第２運動情報と練習場の環境情報をサーバー装置３で蓄積し、第１運動情報と第２運動情報の違いを使用者に対して出力することにより、使用者は異なる場面（ゴルフ場と練習場）によってスイングに違いが生じているかどうかを認識することができる。
【００７７】
本実施形態に係る運動情報提供システム１０００において、検出装置１から取得された使用者２００１のスイングに関する情報を指標化して第１運動情報および第２運動情報の少なくとも一方を生成する演算部５０をさらに含んで構成されていてもよい。
【００７８】
演算部５０が演算するスイングに関する指標としては、例えば、スイング期間中のヘッド速度の最大値、スイング期間中のグリップ速度の最大値、インパクトのタイミングを基準としたグリップ速度が最大値を取るタイミング（グリップ減速タイミング）、スイング期間中のシャフト軸の回転角の変化量（シャフトローテーション）などを採用できる。
【００７９】
本実施形態によれば、指標化しない場合に比べて、他の場面で取得したスイングの情報と比較しやすい情報を取得できる。
【００８０】
本実施形態に係る運動情報提供システム１０００において、複数の運動器具（例えば、ゴルフクラブ）のそれぞれについて、運動器具（ゴルフクラブ）に関する情報である運動器具情報を記憶する記憶部３４０と、蓄積部３１０に蓄積された第１運動情報に基づいて
、記憶部３４０から運動器具情報を抽出する抽出部３５０と、をさらに含んで構成されていてもよい。運動器具情報としては、例えば、ゴルフクラブ２００２の番手やメーカー、型番などを採用できる。抽出部３５０は、第１運動情報と、運動器具（ゴルフクラブ）の購入目的に関する情報（例えば、使用者２００１によって操作部２３０から入力されてもよい。）と、に基づいて、運動器具情報を抽出してもよい。図３に示される例では、記憶部３４０および抽出部３５０は、サーバー装置３に設けられている。なお、記憶部３４０および抽出部３５０の少なくとも一方は、端末装置２に設けられていてもよい。抽出部３５０で抽出された運動器具情報は、出力部４０によって表示部２７０に出力されてもよい。
【００８１】
本実施形態によれば、蓄積部３１０に蓄積された第１運動情報に基づいて、記憶部３４０から運動器具情報を抽出するので、使用者２００１のスイングの傾向に基づいて、例えば、使用者２００１のスイングに適した運動器具に関する情報を抽出できる。例えば、第１環境としての練習場で取得した第１スイング情報に基づき、使用者に適した運動器具情報を抽出し、第２環境としてのゴルフショップに運動器具情報を送信することにより、使用者は自分に適したゴルフクラブを迅速に購入することができる。
【００８２】
図３に示されるように、本実施形態に係る運動情報提供システム１０００は、取得部１０および演算部５０を有する端末装置２と、蓄積部３１０を有するサーバー装置３と、を含んで構成されている。これによって、蓄積部３１０を有するサーバー装置３で第１運動情報と環境情報とをまとめて管理でき、端末装置２からのアクセスが容易な運動情報提供システム１０００を実現できる。
【００８３】
１−３．第２実施形態に係る情報提供システムの構成
図４は、第２実施形態に係る運動情報提供システム１０００ａの構成例を示すブロック図である。第１実施形態に係る運動情報提供システム１０００と同様の構成には同一の符号を付し、詳細な説明を省略する。
【００８４】
本実施形態に係る運動情報提供システム１０００ａは、検出装置１と、端末装置２ａと、サーバー装置３ａと、を含んで構成されている。本実施形態に係る運動情報提供システム１０００ａは、演算部５０ａがサーバー装置３ａに設けられている点で、第１実施形態に係る運動情報提供システム１０００と相違する。
【００８５】
演算部５０ａは、検出装置１から取得された使用者２００１のスイングに関する情報（第１運動情報および第２運動情報の少なくとも一方）を指標化して第１運動情報および第２運動情報の少なくとも一方を生成する。本実施形態においては、演算部５０ａは、検出装置１から取得された使用者２００１のスイングに関する情報（第１運動情報および第２運動情報の少なくとも一方）を、処理部３２０を介して受け取る。演算部５０ａが生成した第１運動情報および第２運動情報は、蓄積部３１０に記憶されていてもよい。
【００８６】
図４に示されるように、本実施形態に係る運動情報提供システム１０００ａは、取得部１０を有する端末装置２ａと、蓄積部３１０および演算部５０ａを有するサーバー装置３と、を含んで構成されている。これによって、蓄積部３１０を有するサーバー装置３ａで第１運動情報と環境情報とをまとめて管理でき、端末装置２ａからのアクセスが容易な運動情報提供システム１０００ａを実現できる。
【００８７】
また、第２実施形態に係る運動情報提供システム１０００ａにおいても、第１実施形態に係る運動情報提供システム１０００と同様に理由により、同様の効果を奏する。
【００８８】
１−４．第３実施形態に係る情報提供システムの構成
図５は、第３実施形態に係る運動情報提供システム１０００ｂの構成例を示すブロック図である。第１実施形態に係る運動情報提供システム１０００と同様の構成には同一の符号を付し、詳細な説明を省略する。
【００８９】
本実施形態に係る運動情報提供システム１０００ｂは、検出装置１と、情報提供装置４と、を含んで構成されている。
【００９０】
情報提供装置４は、取得部１０、入力受付部２０、位置情報取得部３０、出力部４０、演算部５０、蓄積部３１０、記憶部３４０および抽出部３５０を含んで構成されている。蓄積部３１０および抽出部３５０は、処理部２００との間でデータのやりとりを行う。情報提供装置４は、例えば、スマートフォンなどの携帯機器やパーソナルコンピューター（ＰＣ）であってもよい。
【００９１】
第３実施形態に係る運動情報提供システム１０００ｂにおいても、第１実施形態に係る運動情報提供システム１０００と同様に理由により、同様の効果を奏する。
【００９２】
２．運動情報提供方法
２−１．第１実施形態
図６は、第１実施形態に係る運動情報提供方法の概要を示すフローチャートである。なお、図６に示される工程の全てが必須の構成であるとは限らない。以下では、第１実施形態に係る運動情報提供方法を、上述の運動情報提供システム１０００を用いて実施する場合の例について説明する。
【００９３】
本実施形態に係る運動情報提供方法は、取得工程（ステップＳ１００）と、蓄積工程（ステップＳ１０４）と、出力工程（ステップＳ１０６）と、を含む。また、本実施形態に係る運動情報提供方法は、演算工程（ステップＳ１０２）をさらに含んでいてもよい。
【００９４】
図６に示される例では、まず、使用者２００１が運動器具（ゴルフクラブ２００２）をスイングする動作を検出する検出装置１から取得された、第１環境における使用者２００１のスイングに関する情報である第１運動情報を取得する取得工程（ステップＳ１００）を行う。本実施形態においては、端末装置２の取得部１０がステップＳ１００の処理を行う。
【００９５】
ステップＳ１００の後に、検出装置１から取得されたスイングに関する情報を指標化して第１運動情報を生成する演算工程（ステップＳ１０２）を行う。本実施形態においては、端末装置２の演算部５０がステップＳ１０２の処理を行う。
【００９６】
ステップＳ１０２後に、第１運動情報と、第１運動情報が取得された場面に関する環境情報とを関連付けて第１関連情報として蓄積する蓄積工程（ステップＳ１０４）を行う。本実施形態においては、蓄積部３１０がステップＳ１０４の処理を行う。
【００９７】
ステップＳ１０４後に、使用者２００１の要求に応じて、蓄積工程（ステップＳ１０４）で蓄積された第１関連情報を出力する出力工程（ステップＳ１０６）を行う。本実施形態においては、出力部３００がステップＳ１０６の処理を行う。
【００９８】
本実施形態に係る運動情報提供方法によれば、使用者２００１が運動器具（ゴルフクラブ２００２）をスイングする動作を検出する検出装置１から取得されたスイングに関する情報である第１運動情報を取得するので、スイングの画像や映像に比べて、他の場面（第２環境）で取得したスイングの情報と比較しやすい情報を取得できる。また、使用者２００１の要求に応じて、蓄積部３１０に蓄積された第１運動情報を出力するので、異なる場
面（第２環境）においても、運動器具（ゴルフクラブ２００２）をスイングする動作に関する情報を使用者２００１に提供できる運動情報提供方法を実現できる。
【００９９】
本実施形態に係る運動情報提供方法において、取得工程では、検出装置１から、使用者２００１による他の場面（第２環境）での新たなスイングに関する情報である第２運動情報および第２環境の環境情報を取得し、蓄積工程では、第２運動情報と第２環境の環境情報とを関連付けた第２関連情報をサーバー装置３で蓄積し、出力工程では、使用者２００１の要求に応じて、蓄積工程で蓄積された第１運動情報を含む第１関連情報と、取得工程で取得された第２運動情報を含む第２関連情報とを出力してもよい。例えば、第１環境としてのゴルフ場でスイングした第１運動情報とゴルフ場の場所情報を関連付けた第１関連情報と、第２環境としての練習場でスイングした第２運動情報と練習場の場所情報を関連付けた第２関連情報を取得し、サーバー装置３で情報を蓄積する。
【０１００】
本実施形態によれば、例えば、ゴルフ場でスイングした第１運動情報と練習場でスイングした第２運動情報とを出力するので、異なる場面で取得したスイングの情報同士を対比しやすい運動情報提供方法を実現できる。
【０１０１】
本実施形態に係る運動情報提供方法において、取得工程では、検出装置１から、使用者２００１による他の場面（第２環境）での新たなスイングに関する情報である第２運動情報と第２環境の情報に関する環境情報を取得し、出力工程では、使用者２００１の要求に応じて、蓄積工程で蓄積された第１運動情報と第２運動情報とを比較し、比較結果を出力してもよい。例えば、出力工程では、第１運動情報と第２運動情報の差分（例えば、ヘッドスピード最大値の差分，インパクト時におけるフェース面の角度の差分等）を出力してもよい。
【０１０２】
本実施形態によれば、第１運動情報と第２運動情報との比較結果を出力するので、他の場面で取得した運動の情報と新たな運動の情報とを対比しやすい運動情報提供方法を実現できる。例えば、第１環境としてのゴルフ場でスイングした第１運動情報とゴルフ場の環境情報と、第２環境としての練習場でスイングした第２運動情報と練習場の環境情報をサーバー装置３で蓄積し、第１運動情報と第２運動情報の違いを使用者に対して出力することにより、使用者は異なる場面（ゴルフ場と練習場）によってスイングに違いが生じているかどうかを認識することができる。
【０１０３】
２−２．第２実施形態
図７は、第２実施形態に係る運動情報提供方法の概要を示すフローチャートである。なお、図７に示される工程の全てが必須の構成であるとは限らない。以下では、第２実施形態に係る運動情報提供方法を、上述の運動情報提供システム１０００を用いて実施する場合の例について説明する。なお、第１実施形態に係る運動情報提供方法と同様の工程には同一の符号を付し、詳細な説明を省略する。
【０１０４】
本実施形態に係る運動情報提供方法は、取得工程（ステップＳ１００）と、蓄積工程（ステップＳ１０４）と、抽出工程（ステップＳ２００）と、出力工程（ステップＳ２０２）と、を含む。また、本実施形態に係る運動情報提供方法は、演算工程（ステップＳ１０２）をさらに含んでいてもよい。
【０１０５】
図７に示される例では、ステップＳ１０４の後に、蓄積工程（ステップＳ１０４）で蓄積された第１運動情報に基づいて、複数の運動器具（ゴルフクラブ）のそれぞれについて、運動器具（ゴルフクラブ）に関する情報である運動器具情報を記憶する記憶部３４０から運動器具情報を抽出する抽出工程（ステップＳ２００）を行う。本実施形態においては、サーバー装置３の抽出部３５０がステップＳ２００の処理を行う。
【０１０６】
ステップＳ２００の後に、抽出工程（ステップＳ２００）で抽出された運動器具情報を出力する出力工程（ステップＳ２０２）を行う。本実施形態においては、サーバー装置３の出力部３００、および、端末装置２の出力部４０がステップＳ２０２の処理を行う。
【０１０７】
本実施形態によれば、蓄積工程（ステップＳ１０４）蓄積された第１運動情報に基づいて、記憶部３４０から運動器具情報を抽出するので、使用者２００１のスイングの傾向に基づいて、例えば、使用者２００１のスイングに適した運動器具に関する情報を抽出できる。
【０１０８】
３．使用例
上述の運動情報提供システムおよび運動情報処理方法は、様々な場面で使用することができる。以下では、第１運動情報を取得する場面（第１環境）と、第１運動情報を出力する場面（第２環境）とが異なる場合における使用例について説明する。
【０１０９】
図８は、使用例の概要を示す表である。図８に示される例では、第１運動情報を取得する場面、および、第１運動情報を出力する場面の例として、ゴルフ場、練習場、ゴルフスクール、ゴルフ用具ショップおよび大会の練習ラウンドが示されている。
【０１１０】
３−１．第１使用例
第１使用例は、ゴルフ場で取得した第１運動情報を、練習場で出力して利用する例である。
【０１１１】
使用者は、ゴルフ場で取得された第１運動情報に基づいて、スイングの癖や苦手な番手などの自分の弱点を知ることができるので、練習場で弱点克服のための練習を行うことができる。
【０１１２】
図９は、第１運動情報および第２運動情報の表示例を示す図である。図９に示されるレーダーチャートおいて、「ヘッド速度」の項目は、スイング期間中のヘッド速度の最大値を表し、「グリップ速度」の項目は、スイング期間中のグリップ速度の最大値を表し、「グリップ減速タイミング」の項目は、インパクトのタイミングを基準としたグリップ速度が最大値を取るタイミングを表し、「シャフトローテーション」の項目は、スイング期間中のシャフト軸の回転角の変化量を表す。また、図９に示される例では、第１運動情報に関する指標が実線で示され、第２運動情報に関する指標が点線で示されている。
【０１１３】
図９に示されるように、ゴルフ場で取得された第１運動情報と練習場で取得された第２運動情報とを対比することによって、練習の効果を知ることができる。
【０１１４】
３−２．第２使用例
第２使用例は、ゴルフ場で取得した第１運動情報を、ゴルフスクールで出力して利用する例である。
【０１１５】
使用者は、ゴルフ場で取得された第１運動情報に基づいて、スイングの癖や苦手な番手などの自分の弱点を知ることができるので、ゴルフスクールで弱点克服のための練習を行うことができる。また、ゴルフスクールのコーチにゴルフ場で取得された第１運動情報を提供することで、コーチから適切なアドバイスを受けることができる。また、図９に示されるように、ゴルフ場で取得された第１運動情報とゴルフスクールで取得された第２運動情報とを対比することによって、練習の効果を知ることができる。
【０１１６】
３−３．第３使用例
第３使用例は、ゴルフ場で取得した第１運動情報を、大会の練習ラウンドで出力して利用する例である。
【０１１７】
使用者は、大会と同じゴルフ場で取得された第１運動情報に基づいて、今回の大会において自分が注意すべきポイントなどを大会のスタート前に知ることができる。
【０１１８】
３−４．第４使用例
第４使用例は、練習場で取得した第１運動情報を、ゴルフ場で出力して利用する例である。
【０１１９】
大会などではない非公式なラウンドであれば、ゴルフクラブに検出装置１を取り付けて第２運動情報を取得することができる。したがって、図９に示されるように、練習場で取得された第１運動情報と、ゴルフ場で取得された第２運動情報とを対比することによって、練習場でのスイングとゴルフ場でのスイングとがどのように違うかを確認できる。これによって、失敗を減らせたり、失敗にその場で気づいたりすることができる。
【０１２０】
３−５．第５使用例
第５使用例は、練習場で取得した第１運動情報を、ゴルフスクールで出力して利用する例である。
【０１２１】
使用者は、練習場で取得された第１運動情報に基づいて、スイングの癖や苦手な番手などの自分の弱点を知ることができるので、ゴルフスクールで弱点克服のための練習を行うことができる。また、ゴルフスクールのコーチに練習場で取得された第１運動情報を提供することで、コーチから適切なアドバイスを受けることができる。また、図９に示されるように、練習場で取得された第１運動情報とゴルフスクールで取得された第２運動情報とを対比することによって、練習の効果を知ることができる。
【０１２２】
３−６．第６使用例
第６使用例は、練習場で取得した第１運動情報を、ゴルフ用具ショップで出力して利用する例である。
【０１２３】
使用者は、ゴルフ用具ショップの店員に、練習場で取得された第１運動情報を提供することで、購入するゴルフクラブの選択に関する適切なアドバイスを受けることができる。また、図９に示されるように、練習場で取得された第１運動情報とゴルフ用具ショップで取得された第２運動情報とを対比することによって、新たなゴルフクラブを使用することによる効果を知ることができる。
【０１２４】
また、練習場で取得された第１運動情報に基づいて、運動器具情報を抽出することにもできる。
【０１２５】
図１０は、運動器具情報を抽出する場合の表示例を示す図である。図１０（Ａ）は、運動器具（ゴルフクラブ）を購入する目的を使用者に選択させるためのメニューを示す表示例、図１０（Ｂ）は、運動器具情報の抽出結果を示す表示例である。
【０１２６】
図１０（Ａ）に示されるように、運動器具（ゴルフクラブ）を購入する目的を使用者に選択させ、運動器具（ゴルフクラブ）を購入する目的に関する情報と、練習場で取得した第１運動情報と、に基づいて、運動器具情報を抽出することによって、使用者のスイングの傾向に基づいて、使用者のスイングに適した運動器具（ゴルフクラブ）に関する情報を抽出できる。これによって、使用者に適した運動器具（ゴルフクラブ）の購入を促すことができる。
【０１２７】
図１０（Ｂ）に示されるように、情報提供システムは、抽出された運動器具（ゴルフクラブ）を取り扱うゴルフ用具ショップに関する情報をさらに出力してもよい。情報提供システムは、位置情報取得部３０で取得された位置情報に基づいてゴルフ用具ショップを抽出してもよい。これによって、使用者とゴルフ用具ショップの双方に有用な情報を提供できる。
【０１２８】
３−７．第７使用例
第７使用例は、練習場で取得した第１運動情報を、大会の練習ラウンドで出力して利用する例である。
【０１２９】
使用者は、図９に示されるように、練習場で取得された第１運動情報と大会の練習ラウンドで取得された第２運動情報とを対比することによって、大会の開始前に自身のコンディションやスイング傾向を知ることができる。したがって、大会での成績向上に役立つ情報を使用者に提供できる。
【０１３０】
３−８．第８使用例
第８使用例は、ゴルフスクールで取得した第１運動情報を、ゴルフ場で出力して利用する例である。
【０１３１】
大会などではない非公式なラウンドであれば、ゴルフクラブに検出装置１を取り付けて第２運動情報を取得することができる。したがって、図９に示されるように、ゴルフスクールで取得された第１運動情報と、ゴルフ場で取得された第２運動情報とを対比することによって、ゴルフスクールでのスイングとゴルフ場でのスイングとがどのように違うかを確認できる。これによって、失敗を減らせたり、失敗にその場で気づいたりすることができる。
【０１３２】
３−９．第９使用例
第９使用例は、ゴルフスクールで取得した第１運動情報を、練習場で出力して利用する例である。
【０１３３】
使用者は、図９に示されるように、ゴルフスクールで取得された第１運動情報と、練習場で取得された第２運動情報とを対比することによって、ゴルフスクールで教わったスイングと練習場でのスイングとがどのように違うかを確認できる。これによって、ゴルフスクールで教わったスイングに近づけるように使用者が練習を行うために有用な情報を使用者に提供できる。
【０１３４】
３−１０．第１０使用例
第１０使用例は、大会の練習ラウンドで取得した第１運動情報を、練習場で出力して利用する例である。
【０１３５】
使用者は、大会の練習ラウンドで取得された第１運動情報に基づいて、スイングの癖や苦手な番手などの自分の弱点を知ることができるので、練習場で弱点克服のための練習を行うことができる。また、図９に示されるように、ゴルフ場で取得された第１運動情報と練習場で取得された第２運動情報とを対比することによって、練習の効果を知ることができる。
【０１３６】
上述した実施形態および変形例は一例であって、これらに限定されるわけではない。例えば、各実施形態および各変形例を適宜組み合わせることも可能である。
【０１３７】
本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１３８】
１…検出装置、２，２ａ…端末装置、３，３ａ…サーバー装置、４…情報提供装置、１０…取得部、２０…入力受付部、３０…位置情報取得部、４０…出力部、５０，５０ａ…演算部、１１０…検出部、１１１…加速度センサー、１１２…角速度センサー、１３０…通信部、２００…処理部、２１０，２２０…通信部、２３０…操作部、２４０…ＲＯＭ、２５０…ＲＡＭ、２６０…記憶媒体、２７０…表示部、２８０…音出力部、３００…出力部、３１０…蓄積部、３２０…処理部、３３０…通信部、３４０…記憶部、３５０…抽出部、１０００，１０００ａ，１０００ｂ…情報提供システム、２００１…使用者、２００２…ゴルフクラブ、２００３…ゴルフボール
【図１】
2016007499.tif 000003
【図２】
2016007499.tif 000004
【図３】
2016007499.tif 000005
【図４】
2016007499.tif 000006
【図５】
2016007499.tif 000007
【図６】
2016007499.tif 000008
【図７】
2016007499.tif 000009
【図８】
2016007499.tif 000010
【図９】
2016007499.tif 000011
【図１０】
2016007499.tif 000012